(57)【特許請求の範囲】
【請求項１】
生地の相対向する両端縁部に、エレメント列を有するファスナーテープとスライダーとを備えたスライドファスナーが取り付けられるスライドファスナーの取付構造であって、
前記生地は、前記ファスナーテープのエレメント列に対して、前記両端縁部の間隙を空けて、相対向して配置され、かつ、
前記生地は、その両端縁部に、それぞれ、ファスナーテープのエレメント列に沿う帯状部材が取り付けられており、
前記帯状部材は、前記生地の両端縁部に取付けられる帯状基部と、この帯状基部からファスナーテープのエレメント列方向に延出している膨出部とを備え、
前記膨出部は、柔軟性の芯材と、この柔軟性の芯材の表面の少なくとも一部分を覆って芯材を保持する、形状回復性を有する被覆部材とを備え、
前記柔軟性の芯材は繊維の束で構成され、前記被覆部材は、金属製のメッシュ状線材、スパイラル状線材及び弾性を有するように間隙を設けて編み込まれた金属製繊維の群から選択された素材で構成されて、柔軟性の芯材の表面の一部分を覆って芯材を保持しており、
前記被覆部材は、前記帯状部材の長手方向に対して直角方向の断面において前記エレメント列側に凸となる湾曲面を形成している、スライドファスナーの取付構造。
【請求項２】
表生地と裏生地とを備えた生地のうち、裏生地の相対向する両端縁部に、エレメント列を有するファスナーテープとスライダーとを備えたスライドファスナーが取り付けられるスライドファスナーの取付構造であって、
前記表生地は、ファスナーテープのエレメント列に対して、前記両端縁部の間隙を空けて、相対向して配置され、かつ、
前記表生地は、その両端縁部に、それぞれ、ファスナーテープのエレメント列に沿う帯状部材が取り付けられており、
前記帯状部材は、前記表生地の両端縁部に取付けられる帯状基部と、この帯状基部からファスナーテープのエレメント列方向に延出している膨出部とを備え、
前記膨出部は、柔軟性の芯材と、この柔軟性の芯材の表面の少なくとも一部分を覆って芯材を保持する、形状回復性を有する被覆部材とで構成され、
前記柔軟性の芯材は繊維の束で構成され、前記被覆部材は、金属製のメッシュ状線材、スパイラル状線材及び弾性を有するように間隙を設けて編み込まれた金属製繊維の群から選択された素材で構成されて、柔軟性の芯材の表面の一部分を覆って芯材を保持しており、
前記被覆部材は、前記帯状部材の長手方向に対して直角方向の断面において前記エレメント列側に凸となる湾曲面を形成している、スライドファスナーの取付構造。
【請求項３】
スライドファスナーのスライダーは、金属素材で構成されている請求項１又は２に記載のスライドファスナーの取付構造。
【請求項４】
前記膨出部の湾曲面は、スライダーのエレメント列の全部又は一部を覆っている、請求項１〜３の何れか１項に記載のスライドファスナーの取付構造。
【発明の詳細な説明】
【技術分野】
【０００１】
本発明は、スライドファスナーが生地に噛み込むのを防止するスライドファスナーの取付構造に関する。
【背景技術】
【０００２】
特許文献1の図１及び図２には、ファスナーテープ１と、このファスナーテープ１の前面に設けた覆いテープ２から構成されたスライドファスナーが開示されている。覆いテープ２は、縁部にファスナーテープ１の咬合子取り付け部３に取り付けられた咬合子５の前面を覆う一条の膨大部６が全長に亘って設けられている。膨大部６は、図２に示すように袋織部７に織成又は編成し、この袋織部７の内部に複数本の芯糸８が挿通されて芯紐９が形成されている。膨大部６は断面が略円形に形成されている。又、膨大部６は芯糸が互いに絡み合って拘束された形態の芯紐をテープの縁部に織り込み、又は編み込みによって形成している(段落0016、0017、図２等参照) 。
そして、ファスナーテープの前面に設けた覆いテープの膨大部で、ファスナーテープの咬合子取り付け部に取り付けられた咬合子を全長に亘って覆うため、咬合子はファスナー用テープの前面から隠され見えなくなる。そして、膨大部は装飾が施されていることにより、膨大部に平坦部と異なる文字、図形、模様等を施し、美麗な装飾を施した膨大部が形成され、ファッション性が高まることが記載されている(段落0007参照)。
一方、引用文献１には、ファスナーテープ１と膨大部６を含む覆いテープ２が一枚のテープで製織又は製編されていることが記載されている(請求項１参照)。
【０００３】
特許文献２には、スライドファスナーにおけるファスナーテープ１の側縁に各種タイプのファスナーエレメント４を固定するための膨大状に形成した芯部５を設け、この芯部５は異色の染料または顔料によって、任意の長さで数種の色彩たとえばレインボーカラーに適宜色変えして着色した多色糸７または多色紐６によってファスナーテープ１の側縁に装飾部１３を形成したスライドファスナー用テープが開示されている(段落0013、図３、図４等参照)。
一方、特許文献２には、「図３、４に示すスライドファスナー用テープは、ファスナーテープ１の側縁に数本の芯糸８を集束状に揃えてニードル織成によって袋織りに織成して芯部５を形成するとともに、袋織り部分の経糸９に多色糸７を配して織成して芯部５に装飾部１３を形成する。芯部５に配する多色糸７の色彩をそれぞれ同調させるか異ならしめるかは自由であるが、色彩を同調させるのが色彩効果を高めるには好ましい。なお他のファスナーテープ１部分の経糸９、緯糸１０は白色か淡色の無地の糸を用いるのが装飾部１３の色彩を引立たせるのにはよい。」と記載されている(段落0033、図3、図３参照)。
【０００４】
特許文献３には、熱可塑性の合成樹脂の化繊で作られた生地の裏面に熱可塑性の合成樹脂テープを密着させた構成が開示されている。そしてこの合成樹脂合成樹脂テープを密着させることにより、合成樹脂テープで切断部端縁の生地が補強され、生地に張りを持たせてスライダーの噛み込みを防止し、生地のほつれも防ぐ。生地はレーザー光の熱により溶融し固化して溶融固化部を形成しているため、このことからもほつれを防ぐ。生地が溶融固化する際は生地の繊維間の空隙がなくなるために収縮し、合成樹脂テープの切断部の側縁部よりもわずかに後退する。これにより生地は、スライドファスナーを開閉するときに摺動させるスライダーに接触することが少なく、その摺動に対して保護されることが開示されている(特許請求の範囲、段落0011、図１等参照)。
特許文献３では、生地と合成樹脂テープをレーザー光で溶融固化させるため、生地と合成樹脂テープの材質が特定される。
【０００５】
特許文献４には、ファスナーテープと表面布地との間に被覆布地を取り付けた構造が開示されている。そして、被覆布地７は、張りをより強固にしてスライダー１１による噛み込みを防止し、また、スライダー１１との摩擦に耐え得るようにすべく、布地を二つ折りにしたものが用いられる。二つ折りにされた被覆布地７ は、予め熱可塑性を有する接着剤１２等によって張り合わされて一枚の細長いシート状になっており、ファスナーテープ３とほぼ同等の幅を有する。なお、張りをさらに強いものとすべく、二つ折りにされた被覆布地の間に芯体を挟み込んでもよいことが開示されている(特許請求の範囲、段落0024、図２等参照)。
更に特許文献４には「被覆布地７は、張りをより強固にしてスライダー１１による噛み込みを防止し、また、スライダー１１との摩擦に耐え得るようにすべく、布地を二つ折りにしたものが用いられる。二つ折りにされた被覆布地７  は、予め熱可塑性を有する接着剤１２等によって張り合わされて一枚の細長いシート状になっており、ファスナーテープ３ とほぼ同等の幅を有する。なお、張りをさらに強いものとすべく、二つ折りにされた被覆布地の間に芯体を挟み込んでもよい。」と記載されている(段落0024参照)。
従って、特許文献４でいう「芯体」を挟み込むとは、被覆布地の張りを強くすることを意図しているのであるから、二つ折りにされた被覆布地全体にまんべんなく挟み込まれる必要がある。
【０００６】
特許文献５には、「蓋体（２）が、袋本体（１）の後面部（１４）及び底面部（１１）に連続した一枚の不織布からなり、前記底面部（１１）と略同形状となされている。また、ファスナー（３）の一片（３１）が取り付けられた前記袋本体（１）の開口部（１５）端縁に対応する蓋体（２）の端縁部には、ファスナー（３）の他片（３２）がパイピング材（５）とともに一連に縫着されている 」と記載されている(段落0012、図２等参照) 。
特許文献５に記載された発明は、布団や衣類等を収納袋から出し入れする際に、収納された布団類がファスナーに噛み込まれることなくスムーズにファスナーを開閉することのできる布団類収納袋を提供することを目的とする(段落0004参照)。
そして「羽毛布団（Ａ）とファスナー（３）の間には舌状部材（４）が配置されているため、圧縮された羽毛布団（Ａ）の一部がスライダー（３３）よりも突出し、ファスナー（３）が羽毛布団（Ａ）を噛み込んで、スライダー（３３）の移動が阻害されたり、噛み込みによって羽毛布団（Ａ）に穴が開いたりすることを確実に防止することができる。」と記載されている(段落0019参照)。
従って、特許文献５では、ファスナー（３）が羽毛布団に噛み込むのを防止するのは舌状部材（４）であり、パイピング材（５）は、ファスナーが羽毛布団の噛み込みを防止する働きを有してはいない。
【先行技術文献】
【特許文献】
【０００７】
【特許文献１】特許4342841号公報
【特許文献２】特開平11-70007号公報
【特許文献３】特開2004-52162号公報
【特許文献４】特許4011562号公報
【特許文献５】特開平10-129761号公報
【発明の概要】
【発明が解決しようとする課題】
【０００８】
本発明は、生地、特に薄い生地であっても、簡単な構造で、生地がスライドファスナーに噛み込まれることを防止し、且つ、意匠的効果が優れているスライドファスナーの取付構造を提供するものである。
【課題を解決するための手段】
【０００９】
本発明は、生地の相対向する両端縁部に、エレメント列を有するファスナーテープとスライダーとを備えたスライドファスナーを取り付ける（縫い付ける）スライドファスナーの取付構造である。
ここで、本発明の適用対象は、衣服のスライドファスナー取付箇所に限らず、ケース、カバー、カバン、シート等々、任意のスライドファスナー取付箇所である。従って、本発明の生地とは、衣服の生地に限らず、合成樹脂、革など、その適用用途に対応した素材をも包含する。リバーシブルの場合などは、表面側に限らず裏面側をも適用対象とすることができる。対象となるスライドファスナーは、例えば、金属ファスナー樹脂ファスナー、ビスロンファスナーなど各種材料のファスナーに適用できる。また、止製品、開製品、スライダー２個付の開製品、スライダー２個付の止製品など各種構造のファスナーに適用できる。
また、表生地と裏生地とを備えている場合、例えば、裏生地にスライダーを取り付け（縫い付け）、表生地に本発明に係るスライドファスナーの取付ける（縫い付ける）構造等も適用することができる。
【００１０】
前記生地又は表生地（以下、特に特定しない限り生地と総称する）は、前記ファスナーテープのエレメント列に対して、前記両端縁部の間隙を空けて、相対向して配置され、かつ、前記生地は、その両端縁部に、それぞれ、ファスナーテープのエレメント列に沿う帯状部材が取り付けられ（縫い付けられ）ている。
なお、上記の記載において「取り付ける（縫い付ける）」と取付けの後に括弧付で（縫い付け）と記載したのは、一般的な取付方法が縫い付けであることを示すためであり、必ずしも、縫い付けに特定しているわけではない。ただし、生地に縫い付けることにより、帯状部材の取付、取外しが容易とあり、帯状部材の交換が容易に行える（このことの利点については後述する）。
前記帯状部材は、パイピングと称される素材に相当し、前記生地の両端部に取付けられる帯状基部と、この帯状基部からファスナーテープのエレメント列方向に延出している膨出部とを備えている。
前記膨出部は、柔軟性の芯材と、この柔軟性の芯材の表面の一部又は全部を覆って芯材を保持する被覆部材とで構成されて、筒状をなしている。膨出部の別の表現として、被覆部材の内部に芯材を充填して、筒状をなしているという表現も可能である。この被覆部材は、弾性を有し、この弾性に起因した形状回復性を備えている（形状回復性については後述する）。そして、前記帯状部材の長手方向に対して直角方向の断面において前記エレメント列側に凸となる湾曲面を形成している。
【００１１】
帯状部材は、市販の各種パイピング素材から本発明に適した機能を有する素材を選択することも可能であるし、また、本発明に適した機能を有する芯材と被覆部材をそれぞれ用意して、これら素材から本発明に係る帯状部材を作成することも可能である。
前記帯状部材の膨出部は、スライダーのエレメント列の全部又は一部を覆っているのが望ましい。このことにより、帯状部材の膨出部は、スライダーに接し、他方、生地の両端縁部はスライダーに接しないようにすることができる。膨出部が、スライダーのエレメント列の全部を覆う場合は、実質、隠しスライダーを構成することになる。
本発明は、単に任意のパイピング素材を生地の端縁部に取付けた（縫い付けた）構成というわけではない。本発明は、柔軟性の芯材と形状回復性を有する被覆部材との複合構造であり、スライドファスナー取付構造に適したパイピング素材（芯材＋被覆部材）を適用することにより、スライダー移動時に膨出部がスライダーの移動方向と直角方向に移動（開放移動）する際に、スムーズに開放移動することができるとともに、開放移動時にスライダーに押されても膨出部が変形し難く、膨出部が変形しても、被覆部材（膨出部）が形状回復性を有するために膨出部は元の湾曲形状に回復することができる。そのため、スライダーの移動が繰り返されても、エレメント列側に凸となる湾曲面の形状を維持することができる。その結果、薄い生地であっても、帯状部材の膨出部によりスライダーへの噛み込みを確実に阻止することができる。
【００１２】
帯状部材の好適な本発明例として、前記柔軟性の芯材が繊維の束で構成され、前記被覆部材が、メッシュ状の線材、スパイラル状の線材及び弾性を有するように間隙を設けて編み込まれた線材の群から選択された素材で構成されて、柔軟性の芯材の表面の一部分を覆って芯材を保持しているものが挙げられる。このような構成をとることにより、弾力を有するメッシュ状の線材、スパイラル状の線材及び編み込み線材がその弾性特性に起因して形状回復性を有しているので、芯材の柔軟性を担保しつつ、被覆部材の形状回復性の機能を保持することができる。また、被覆部材が間隙を形成して、芯材の一部が目視できるので、両者の色彩、質感等が異ならせることなどにより意匠的効果を発揮させることができる。
【００１３】
前記線材の材質としては、金属、樹脂及び繊維等が挙げられる。素材の弾力性等を考慮して適用する材質を適宜選択することにより、形状回復性の機能の程度を調整でき、また、生地、スライドファスナーとの質感の同一性、相違性を斟酌することにより、意匠的効果を発揮する。
ここで、前記線材は、スライドファスナーのスライダーと同種の素材、例えば、スライダーが金属であれば、線材の材質も金属として、スライダーが樹脂であれば、線材の材質も樹脂として、スライダーの損傷などを防ぎつつ、膨出部の摩耗を緩和することも可能である。
【００１４】
帯状部材の異なる好適な本発明例として、芯材素材束とこの芯材素材束を被覆する被覆部材素材で構成される膨出部素材を複数本用意し、複数本の膨出部素材を螺旋状に捩じって帯状部材の膨出部を構成しているものが挙げられる。この例では、捩じられた複数本の膨出部素材の表面領域が被覆部材を構成する。そして、捩じった構成とすることにより、被覆部材に弾力性が生じてその形状回復性を発揮し、かつ、捩じれに起因する意匠的効果を発揮する。
【００１５】
帯状部材の更に異なる好適な本発明例として、前記柔軟性の芯材は繊維の束で構成され、前記被覆部材はバイアス布地で構成されているものが挙げられる。この例では、バイアス生地に弾力性が有るために、被覆部材（膨出部）は形状回復性の機能を有する。
【００１６】
帯状部材の好適な更に異なる本発明例として、芯材素材の束を複数本用意し、これらの束を捩じって膨出部を構成した帯状部材が挙げられる。この帯状部材の膨出部は、用意された柔軟性の芯材素材の複数の束を螺旋状に捩じることにより、捩じられた表面領域が被覆部材を構成することになる。すなわち、芯材素材の束を捩じることにより、弾力性が生じて、被覆部材が形状回復性の機能を有することになる。また、各芯材素材の束を色違いとすること等により、意匠的効果を発揮する。
【００１７】
（発明の効果）
本発明は、パイピングに相当する帯状部材を、スライドファスナーのファスナーテープに取付けるのではなく、スライドファスナーを取り付ける生地の相対向する両端縁部に帯状部材を取り付ける点に本発明の技術的意義がある。すなわち、生地の相対向する両端縁部に帯状部材を取り付けることにより、帯状部材の膨出部、特に被覆部材の材質、形態、配置等について、ファスナーテープの材質、形態、配置等の制約を受けることがない。
【００１８】
適切な素材を有する材質をそれぞれ選択することにより、被覆部材を柔軟性の芯材と形状回復性を有する被覆部材との複合構造とすることができる。すなわち、スライダー移動時に膨出部がスムーズに開放移動することができるとともに、開放移動時にスライダー押されて膨出部が変形しても、被覆部材が形状回復性を有するために膨出部は元の湾曲形状に回復することができる。
このため、スライダーの円滑な移動機能を維持しつつ、スライダーの移動が繰り返されても、この湾曲面の形状を維持する。その結果、薄い生地であっても、スライダーへの噛み込みを確実に防止することができる。
しかも、帯状部材は、任意の色彩、素材、模様、質感、形態の帯状部材を生地に取り付けることができるので、その意匠的効果を十分に発揮させることができる。
さらに、生地に帯状部材を縫い付けているので、帯状部材が汚れたり、劣化したりした場合などに容易に別の帯状部材に取り換えることができる。また、別の帯状部材に取り換えることにより、新たな意匠的効果をもたらすことができる。
【図面の簡単な説明】
【００１９】
【図１】図１（ａ）は、本発明に係るスライドファスナー取付構造の一実施態様を示す概略断面図、図１（ｂ）は、スライドファスナー取付構造の平面図である。
【図２】図２（ａ）は、本発明に係るスライドファスナー取付構造において、帯状部材の膨出部の被覆部材がメッシュ状の線材で構成されている第1の実施態様を示す一部破断した平面図、図２（ｂ）は、本発明に係るスライドファスナー取付構造において、帯状部材の膨出部の被覆部材がスパイラル状の線材で構成されている第２の実施態様を示す一部破断した平面図である。
【図３】図３（ａ）は、本発明に係るスライドファスナー取付構造において、帯状部材の膨出部の被覆部材が間隙を有して編み込まれた線材で構成されている第３の実施態様を示す一部破断した斜視図、図３（ｂ）は、本発明に係るスライドファスナー取付構造において、帯状部材の膨出部の被覆部材が繊維の束で構成され、前記被覆部材はバイアス布地で構成されている第４の実施態様を示す一部破断した平面図である。
【図４】図４（ａ）は、本発明に係るスライドファスナー取付構造において、複数本の帯状部材を螺旋状に捩じって構成されている第５の実施態様を示す一部破断した斜視図、図４（ｂ）は、本発明に係るスライドファスナー取付構造において、前記柔軟性の芯材は２以上の繊維の束を互いに螺旋状に捩じることにより、その表面領域を被覆部材としている第６の実施態様を示す一部破断した斜視図である。
【発明を実施するための形態】
【００２０】
以下本発明の実施態様を説明する。
【実施例】
【００２１】
図１（ａ）の断面図は、薄い表生地（１０）の相対向する両端縁部に、パイピングに相当する帯状部材（２０）を縫い付け、一方、裏布地（５０）の相対向する両端縁部にスライドファスナー（６０）を縫い付け、表生地（１０）と裏生地（５０）とを縫い付けたスライドファスナーの取付け構造を示している。
図１（ｂ）は、図１（ａ）の構造を表地側から見た図である。ただし、スライドファスナーの構造を明示するために、表生地、帯状部材は想像線で示している。このスライドファスナー（６０）は、スライダー（６２）及びファスナーテープ（６４）、（６４）を備えている。スライダー（６２）は、引手（６６）を備え、ファスナーテープ（６４）、（６４）は、それぞれエレメント列（６８）、（６８）を有している。
【００２２】
（実施例１）
図２（ａ）は、帯状部材の第１の実施態様を示す。この帯状部材（２０）は表生地（１０）の相対向する両端縁部に縫い付けられた帯状基部（３０）と、この帯状基部（３０）からファスナーテープ（６４）のエレメント列（６８）方向に延出している膨出部（４０）とを備えている。帯状基部（３０）は平織状の生地で織られている。一方、膨出部（４０）は、前記帯状部材（２０）の長手方向に対して直角方向の断面において前記エレメント列側に凸となる湾曲面を形成し、この湾曲面を形成した膨出部（４０）は前記エレメント列（６８）を覆っている。すなわち、スライダー（６２）でエレメント列を閉じた状態で、エレメント列（６８）は隠れた状態にある。
前記膨出部（４４）は、芯材（４２）と、芯材（４２）の外周面を覆う被覆部材（４４）とで構成されている。芯材（４２）は繊維を束ねて構成され、スライダー移動時に、横方向の力が加わると任意に変形しうる柔軟性を有している。一方、被覆部材（４４）はメッシュ状の細い金属線材で構成され、芯材（４２）をメッシュ状に覆っており、メッシュの開口部から芯材（４２）の一部が目視できる状態にある。なお、この実施態様では、メッシュの方向はエレメント列（６８）の方向に対して互いに略斜め４５度となるメッシュ構造をとっている。
【００２３】
このようなメッシュ構成の被覆部材（４４）は、素材が金属線材であることから弾性を有している。即ち、変形され難く、変形しても形状を回復する機能を有している。従って、スライダー（６２）の移動が繰り返されて、スライダー移動時に膨出部（４４）の湾曲面が変形してもても、すぐに回復し、この湾曲面が継時的に変形したり、へたったりすることがない。その結果、長期間使用しても、湾曲面を維持することができるので、スライダー（６２）が生地を噛み込むことを防止することができる。他方、被覆部材（４４）は、メッシュ状の細い線材で構成されているので、その弾性係数はさほど大きくない。そのため、スライダー移動時に膨出部を開放する力が加わっても、小さな力で開放され、スムーズなファスナー操作を可能とする。
ちなみに、特許文献１，２に示すようなファスナーテープを利用して帯状部材（特許文献１の袋織部７、特許文献２の袋織り部分）を構成する場合、ファスナーテープの材質や織構造に起因して、その材質やその袋織構造に制約を受ける。これに対し、この実施態様の取付構造は、生地に直接帯状部材を取り付ける構造なので、そのような制約を受けない。たとえば、この実施態様のように、芯材を被覆する被覆部材の材質を金属線材とし、且つメッシュ状とすることができる。このように、被覆部材の材質が金属であり、形状がメッシュ状であることにより、スライダーの動きに対して円滑に横方向に動くことができるともに、摩擦により生地が摩耗するともなく、さらに帯状部材の長手方向に対して直角方向の断面において前記エレメント列側に凸となる湾曲面が変形することもない。すなわち、形状回復性に優れたものとなる。
また、メッシュ状の金属線材をスライドファスナーの設置個所に配置することにより、意匠的な効果も発揮することができる。すなわち、この実施態様では、被覆部材（４４）はメッシュ状のため、メッシュ開口から芯材（４２）を目視でき、異なる質感、色彩などに起因する意匠的効果を発揮する。
【００２４】
（実施例２）
図２（ｂ）は、第１の実施態様とは異なる被覆部材を備えた帯状部材の第２の実施態様を示す。この実施態様が第１の実施態様と異なる点は、第１の実施態様では被覆部材（４４）がメッシュ状であるのに対し、この実施態様では、被覆部材（４４）が一本の細い金属線材を螺旋状に巻いて構成されている点である。この第２の実施態様の場合も、被覆部材（４４）は、弾性（形状回復性）を有し、実施態様１と同様の効果を奏する。この場合、一本の線材を螺旋状に巻く間隔を適宜設定すること、及び／又は線材の本数や太さを適宜設定することにより、弾性（形状回復性）と、スライダーの動きに対応した移動のし易さとを適宜調節することができる。なお、複数の線材の螺旋状に巻く方向を右回りと左回りの両方にすることにより、見た目が、第１の実施態様と同様の形態となる。この実施態様においても、第１の実施態様と同様の意匠的効果を発揮する。
【００２５】
（実施例３）
図３（ａ）は、第１の実施態様とは異なる被覆部材を備えた帯状部材の第３の実施態様を示す。この実施態様が第１の実施態様と異なる点は、第１の実施態様の被覆部材（４４）がメッシュ状であるのに対し、この実施態様では、被覆部材（４４）が間隙を空けて繊維を編み込んだ弾性変形可能な構造（例えばゴム編み的な編み込み構造）である点である。このような編み込み構造であるため、第１、第２の実施態様と同様に、被覆部材（４４）は、弾性（形状回復性）を有し、スライダーの動きに応じてスムーズに動き、かつ、膨出部の湾曲形状を維持することができる。その結果、第１、第２の実施態様と同様の効果を発揮する。なお、図３（ａ）に示す例では、繊維を密に編んだ箇所と、疎に編んだ個所とを交互に配置している。このことにより、被覆部材（４４）により芯材（４２）を保持する特性と、弾性（形状回復性）とを兼備させている。また、この様に編むことにより、開口から芯材（４２）を目視でき、異なる質感、色彩などに起因する意匠的効果を発揮することができる。
【００２６】
（実施例４）
図３（ｂ）は、第１の実施態様とは異なる被覆部材を備えた帯状部材の第４の実施態様を示す。この実施態様が第１の実施態様と異なる点は、第１の実施態様の被覆部材（４４）がメッシュ状であるのに対し、被覆部材（４４）がバイアス布地で構成されて芯材（４２）を覆っている点である。バイアス布地は伸びやすく、もとの形状に戻りやすいいわば弾性的な特性を有することから、上記の第１〜第３の実施態様と同様の効果を発揮する。
【００２７】
（実施例５）
図４（ａ）は、第１の実施態様とは異なる被覆部材を備えた帯状部材の第５の実施態様を示す。この実施態様が第１〜第４の実施態様と異なる点は、第１〜第４の実施態様では、一組の膨出部（４０）（芯材（４２）を被覆部材（４４）で覆う構成が一組）の構成であるのに対し、この実施態様では、芯材素材束とこの芯材素材束を被覆した被覆部材素材とで構成された膨出部素材を複数本備え、これら膨出部素材を螺旋状に捩じって構成されている。すなわち、膨出部芯材（４２）を覆った被覆部材（４４）からなる紐状の膨出部素材（４０ａ）を複数本用意し、これら膨出部素材(４０ａ)の複数本を互いに撚って螺旋状に形成した構成である。この構成によっても第１〜第４の実施態様と同様の効果を発揮する。なお、この実施態様では、繊維の束で構成される芯材素材束に糸を密に巻きつけて被覆部材素材（膨出部素材）を構成し、この様に構成された３本の被覆部材素材（膨出部素材）を螺旋状に撚って構成されている。この構成によっても、捩じりによる弾性特性（形状回復性）をもたらすことに加えて、膨出部素材（４０ａ）の質感、色彩などを異なるものとすることにより意匠的効果を発揮することができる。
【００２８】
（実施例６）
図４（ｂ）は、第１の実施態様とは異なる被覆部材を備えた帯状部材の第６の実施態様を示す。この実施態様が第１〜５の実施態様と異なる点は、第１〜５の実施態様の膨出部（４０）を構成する芯材（４２）と被覆部材（４４）とが別の素材で構成されているのに対し、この実施態様では、２以上の芯材素材束を備え、これら芯材素材束を螺旋状に捩じって柔軟性の芯材を構成し、この芯材の表面領域が被覆部材を形成している点である。すなわち、芯材素材の束（４２ａ）を複数束用意し、この芯材素材の束（４２ａ）捩じって芯材（４２）が構成されており、このように（４２）を構成することにより、複数の芯材素材の束（４２ａ）の表面領域がそのまま被覆部材（４４）を形成することになる。この実施態様では、色違いの二種類の芯材素材の束（４２ａ）を用意し、これを互いに螺旋状に撚って構成されている。この構成によっても、２以上の芯材素材束の捩じりによる弾性特性（形状回復性）をもたらすことに加えて、芯材素材の束（４２ａ）の質感、色彩などを異なるものとすることにより意匠的効果を発揮することができる。
【００２９】
以下に、原出願の当初の特許請求の範囲の記載を引用する。
［請求項１］
生地の相対向する両端縁部に、エレメント列を有するファスナーテープとスライダーとを備えたスライドファスナーが取り付けられるスライドファスナーの取付構造であって、
前記生地は、前記ファスナーテープのエレメント列に対して、前記両端縁部の間隙を空けて、相対向して配置され、かつ、
前記生地は、その両端縁部に、それぞれ、ファスナーテープのエレメント列に沿う帯状部材が取り付けられており、
前記帯状部材は、前記生地の両端縁部に取付けられる帯状基部と、この帯状基部からファスナーテープのエレメント列方向に延出している膨出部とを備え、
前記膨出部は、柔軟性の芯材と、この柔軟性の芯材の表面の少なくとも一部分を覆って芯材を保持する、形状回復性を有する被覆部材とを備え、
前記被覆部材は、前記帯状部材の長手方向に対して直角方向の断面において前記エレメント列側に凸となる湾曲面を形成している、スライドファスナーの取付構造。
［請求項２］
表生地と裏生地とを備えた生地のうち、裏生地の相対向する両端縁部に、エレメント列を有するファスナーテープとスライダーとを備えたスライドファスナーが取り付けられるスライドファスナーの取付構造であって、
前記表生地は、ファスナーテープのエレメント列に対して、前記両端縁部の間隙を空けて、相対向して配置され、かつ、
前記表生地は、その両端縁部に、それぞれ、ファスナーテープのエレメント列に沿う帯状部材が取り付けられており、
前記帯状部材は、前記表生地の両端縁部に取付けられる帯状基部と、この帯状基部からファスナーテープのエレメント列方向に延出している膨出部とを備え、
前記膨出部は、柔軟性の芯材と、この柔軟性の芯材の表面の少なくとも一部分を覆って芯材を保持する、形状回復性を有する被覆部材とで構成され、
前記被覆部材は、前記帯状部材の長手方向に対して直角方向の断面において前記エレメント列側に凸となる湾曲面を形成している、スライドファスナーの取付構造。
［請求項３］
前記膨出部の湾曲面は、スライダーのエレメント列の全部又は一部を覆っている、請求項１又は２に記載のスライドファスナーの取付構造。
［請求項４］
前記柔軟性の芯材は繊維の束で構成され、前記被覆部材は、メッシュ状の線材、スパイラル状の線材及び弾性を有するように間隙を設けて編み込まれた繊維の群から選択された素材で構成されて、柔軟性の芯材の表面の一部分を覆って芯材を保持している請求項１〜３の何れか１項に記載のスライドファスナーの取付構造。
［請求項５］
前記線材は、金属、樹脂及び繊維の群から選択された素材で構成されている請求項４に記載のスライドファスナーの取付構造。
［請求項６］
前記線材は、スライドファスナーのスライダーと同種の素材で構成されている請求項４又は５に記載のスライドファスナーの取付構造。
［請求項７］
前記帯状部材の膨出部は、芯材素材束とこの芯材素材束を被覆した被覆部材素材とで構成された膨出部素材を複数本備え、これら膨出部素材を螺旋状に捩じって構成されている請求項１〜６の何れか１項に記載のスライドファスナーの取付構造。
［請求項８］
前記帯状部材の膨出部は、柔軟性の芯材が繊維の束で構成され、前記被覆部材がバイアス布地で構成されている請求項１〜３の何れか１項に記載のスライドファスナーの取付構造。
［請求項９］
前記帯状部材の膨出部は、２以上の芯材素材束を備え、これら芯材素材束を螺旋状に捩じって柔軟性の芯材を構成し、この芯材の表面領域が被覆部材を形成している、請求項１〜３の何れか１項に記載のスライドファスナーの取付構造。
【符号の説明】
【００３０】
１０…表生地
２０…帯状部材（パイピング）
３０…帯状基部
４０…膨出部
４０ａ…膨出部素材
４２…芯材
４２ａ…芯材素材の束
４４…被覆部材
５０…裏布地
６０…スライドファスナー
６２…スライダー
６４…ファスナーテープ
６６…引手
６８…エレメント列
【要約】
【課題】本発明は、薄い生地であっても生地がスライドファスナーに噛み込まれることを防止し且つ意匠的効果が優れているスライドファスナーの取付構造を提供する。
【解決手段】本発明のスライドファスナーの取付構造は、スライドファスナー(60)を取り付ける生地の相対向する両端縁部に、ファスナーテープ(64)のエレメント列(68)に沿う帯状部材(20)を取り付けた構成であって、前記帯状部材(20)は、前記生地の両端縁部に取付けられる帯状基部(30)と、この帯状基部(30)からファスナーテープ(64)のエレメント列方向に延出している膨出部(40)とを備え、前記膨出部(40)は、繊維の束で構成された柔軟性の芯材(42)と、金属製のメッシュ状線材等からなり、この柔軟性の芯材の表面の一部分を覆って芯材を保持する、形状回復性を有する被覆部材とで構成されている。
【選択図】図１【図１】
0005946979.tif 000002
【図２】
0005946979.tif 000003
【図３】
0005946979.tif 000004
【図４】
0005946979.tif 000005